(57)【要約】【課題】木材、または軽量板等により構築された、耐震施工をしていない既存住宅に接する駐車スペース等の空地に、ガレージ、ウッドデッキ、小部屋等の構造物を耐震性を備えた立方体状の耐震構造物として設置し、該耐震構造物と既存住宅を連結固定して、既存住宅に耐震性を付与する。【解決手段】耐震性のない既存住宅１に接する地盤Ｇ上に、立方体状の耐震構造物２を設置し、該耐震構造物２と前記既存住宅１とを連結部材６で一体に連結固定する。【選択図】図１
2007146370.tif 000002
【特許請求の範囲】
【請求項１】
耐震性のない既存住宅に接する地盤上に、立方体状の耐震構造物を設置し、該耐震構造物と前記既存住宅とを連結部材で一体に連結固定したことを特徴とする既存住宅に耐震性を付与する装置。
【発明の詳細な説明】
【技術分野】
【０００１】
本発明は、木材または軽量板等により構築された、耐震性のない既存住宅に接する駐車スペース等の空地に、立方体状の耐震構造物を設置し、該耐震構造物と前記既存住宅とを連結部材で一体に連結固定したことを特徴とする既存住宅に耐震性を付与する装置に関するものである。
【背景技術】
【０００２】
現在、多くの住宅が建てられているが、新耐震法が制定される以前の住宅は、十分な耐震性を持っていない。地震時の倒壊の大半は、この期の住宅である。そのため、先ずこの期の住宅の補強が最優先となる。既存住宅に耐震性を付与する耐震施工は、既存住宅の内、外部を剥がし、部材を入れ換える補強が効果的であるが、時間と費用がかかり、余り行われていないのが現状である。また、従来、簡易な耐震施工として、種々試みられているが、そのほとんどが筋交いを配設するとか、窓等の開口部を補強する程度のものである。そして、既存住宅に耐震性を付与することを目的とする過去の特許文献を遡及検索すると、例えば、下記の特許文献が公知である。
【０００３】
【特許文献１】特開２００３−２３２１３３号公報
【発明の開示】
【発明が解決しようとする課題】
【０００４】
前記従来の簡易な耐震施工のように、または、前記特許文献１に開示されたように、筋交いを配設するとか、窓等の開口部を補強する程度のものでは、一般住宅の耐震性を向上させる手段としては、不充分であるという課題があった。
【０００５】
本発明は、前記従来の課題を解決すべくなされたもので、木材、または軽量板等により構築された、耐震性のない既存住宅に接する駐車スペース等の空地に、ガレージ、ウッドデッキ、小部屋等の構造物を耐震性を備えた立方体状の構造物として設置し、該耐震構造物と既存住宅を連結部材により連結固定して、既存住宅に耐震性を付与する装置を提供しようとするものである。
【課題を解決するための手段】
【０００６】
本発明は、耐震性のない既存住宅に接する地盤上に、立方体状の耐震構造物を設置し、該耐震構造物と前記既存住宅とを連結部材で一体に連結固定するという手段を採用することにより、上記課題を解決した。
【発明の効果】
【０００７】
本発明は、既存住宅自体が耐震性がなくても、該既存住宅に接する地盤上に立方体状の耐震構造物を設置し、該耐震構造物と前記既存住宅とを連結部材で一体に連結固定することにより、地震時に耐震性のない既存住宅が震動しても、耐震構造物が立方体状に構築され、地盤上に少なくとも４本の柱材が間隔を有して立設されているため、前記既存住宅の震動を前記各柱材が分散して受けることにより、該既存住宅の震動が減衰されて、前記既存住宅の倒壊を阻止すると共に、居住者の生命・財産を守ることができる。また、本発明は、そのほとんどの施工が既存住宅の外部で行われるので、施工が容易で、従って施工費用が安価である。
【実施例】
【０００８】
本発明の実施例につき図面に基づいて詳細に説明する。木材、または軽量板等により構築された、耐震性のない既存住宅１に接する空地等に設置する耐震性を備えた立方体状の耐震構造物２は、図１に示すように設置される。
【０００９】
すなわち、図１に示す耐震構造物２としては、立方体状の平屋ガレージ２ａが図示されている。前記平屋ガレージ２ａは、前記既存住宅１に接する地盤Ｇ上において、該既存住宅１に接近するようにして従来公知の耐震手段を用いて耐震構造物とすると共に、該平屋ガレージ２ａを構成するはり材３を、前記既存住宅１のはり材４と同一高さ位置に対面して構築する。
【００１０】
なお、前記立方体状の耐震構造物２は、特に限定する必要はないが、好ましくは、該立方体状の耐震構造物２を構成する少なくとも４本の型鋼より成る柱材５を、地盤Ｇ中に設けられた基礎上に立設固定して構築することが推奨される。
【００１１】
そして、前記平屋ガレージ２ａと既存住宅１とを構成する構成部材である各対面するそれぞれのはり材３・４とを、複数個の連結金具等の連結部材６により連結固定して、前記耐震施工をしていない既存住宅１と前記耐震構造物である立方体状の平屋ガレージ２ａとを一体に連結固定する。
【００１２】
なお、図１・図２においては、平屋ガレージ２ａと既存住宅１の構成部材として、はり材３・４を例に挙げて説明したが、これに限定されるものではなく、前記平屋ガレージ２ａと既存住宅１を構成する、それぞれの柱材やその他の構成部材とを連結部材６により連結してもよい。また、図２においては、複数個の連結部材６を用いているが、１本の長尺状の連結部材６を用いていてもよい（図示省略）。
【００１３】
前記平屋ガレージ２ａと既存住宅１とを連結部材６により一体に連結固定することにより、既存住宅１自体が耐震性がなくても、地盤Ｇ上に立方体状に形成されて構築された平屋ガレージ２ａが、立方体状の耐震構造物であり、地盤Ｇ上に少なくとも４本の柱材が間隔を有して立設固定されているため、前記既存住宅１の震動を前記各柱材が分散して受けることにより、該既存住宅１の震動が減衰されて、前記既存住宅１の倒壊を阻止すると共に、地震時において、耐震構造物である平屋ガレージ２ａ内に避難することにより、居住者の生命・財産を守ることができる。また、本発明は、そのほとんどの施工が既存住宅の外部で行われるので、施工が容易で、従って施工費用が安価である。
【００１４】
また、図３は、耐震構造物２として、２階に部屋を設けた立方体状の２階付きガレージ２ｂとしたものであり、前記図１の場合と同様に、前記２階付きガレージ２ｂのはり材３と既存住宅１のはり材４とを、１本または複数個の連結部材６により一体に連結固定することにより、前記既存住宅１に耐震性を付与することができる。
【００１５】
なお、図３においては、２階付きガレージ２ｂと既存住宅１の構成部材として、はり材３・４を例に挙げて説明したが、これに限定されるものではなく、前記２階付きガレージ２ｂと既存住宅１を構成する、それぞれの柱材やその他の構成部材とを連結部材６により連結してもよい。
【００１６】
更に、図４は耐震構造物２として、平屋部屋２ｃとしたものであり、前記図１の場合と同様に、前記平屋部屋２ｃのはり材３と既存住宅１のはり材４とを、１本または複数個の連結部材６により一体に連結固定することにより、前記既存住宅１に耐震性を付与することができる。
【００１７】
なお、図４においては、平屋部屋２ｃと既存住宅１の構成部材として、はり材３・４を例に挙げて説明したが、これに限定されるものではなく、前記平屋部屋２ｃと既存住宅１を構成する、それぞれの柱材やその他の構成部材とを連結部材６により連結してもよい。
【図面の簡単な説明】
【００１８】
【図１】本発明既存住宅に耐震性を付与する装置において、耐震構造物をガレージとした一部切欠き側面図である。
【図２】本発明既存住宅に耐震性を付与する装置における要部の横断面図である。
【図３】本発明既存住宅に耐震性を付与する装置において、耐震構造物を２階付きガレージとした一部切欠き側面図である。
【図４】本発明既存住宅に耐震性を付与する装置において、耐震構造物を平屋部屋とした一部切欠き側面図である。
【符号の説明】
【００１９】
１  既存住宅
２  耐震構造物  
２ａ  ガレージ
２ｂ  ２階付きガレージ
２ｃ  平屋部屋
３・４  はり材
５  柱材
６  連結部材
Ｇ  地盤  
【図１】
2007146370.tif 000003
【図２】
2007146370.tif 000004
【図３】
2007146370.tif 000005
【図４】
2007146370.tif 000006